(57)【要約】【課題】パネルの取付け孔に挿入する脚部の挿入抵抗が増加するのを抑えながら、該脚部の出代を少なくすることができる樹脂クリップを提供する。【解決手段】樹脂クリップ３０は、パネル３の片面に係合する基板部４０と、基板部から延出されて取付け孔４に挿入される脚部５０とを有し、脚部が、基板部から脚部挿入方向に延出される支柱６０と、支柱の先端部から基板部に向けて外方に広がるように傾斜して上記取付け孔より広幅に延出される一対の係止片７０とを有している。係止片は、従来の一段曲げ形状から二段曲げ（形状多段曲げ形状）とする。また基部７１における支柱との角部内面に付けられる丸み７１ａより先の先端部７１ｂの肉厚Ｔ１を第一傾斜部７３及び第二傾斜部７５のそれぞれの肉厚Ｔ２及びＴ３より薄くする。さらに基部における先端部の内面から第２傾斜片部の内面にわたる内面リブ７６を設ける。【選択図】図５
2015052338.tif 000002
【特許請求の範囲】
【請求項１】
取付け孔を有するパネルの上記取付け孔に嵌着される樹脂クリップであって、上記パネルの片面に係合する基板部と、上記基板部から延出されて上記取付け孔に挿入される脚部とを有し、上記脚部が、上記基板部から脚部挿入方向に延出される支柱と、上記支柱の先端部から、多段曲げ形状で、上記基板部に向けて外方に広がるように傾斜して上記取付け孔より広幅に延出される一対の係止片とを有していることを特徴とする樹脂クリップ。
【請求項２】
上記係止片が、根元側にいくにつれて薄肉になっていくことを特徴とする請求項１に記載の樹脂クリップ。
【請求項３】
上記係止片には、その多段曲げ形状における最初の曲げ部より根元側の基部内面から最終の曲げ部より先端側で上記パネルに対し最も大きい傾斜角度を持って傾斜して上記取付け孔より広幅に延出される傾斜部内面にわたる内面リブを設けたことを特徴とする請求項１又は２に記載の樹脂クリップ。
【請求項４】
取付け孔を有するパネルの上記取付け孔に嵌着される樹脂クリップであって、上記パネルの片面に係合する基板部と、上記基板部から延出されて上記取付け孔に挿入される脚部とを有し、上記脚部が、上記基板部から脚部挿入方向に延出される支柱と、上記支柱の先端部から上記基板部に向けて外方に広がるように傾斜して上記取付け孔より広幅に延出される一対の係止片とを有している樹脂クリップにおいて、上記係止片は、上記支柱の先端部から延出される基部と、上記基部の先に連設される一段目曲げ部と、上記基部から上記一段目曲げ部を介して上記基板部に向けて外方に広がるように上記パネルに対し所定の傾斜角度を持って傾斜して上記取付け孔より狭幅に延出される第一傾斜部と、上記第一傾斜部の先に連設される二段目曲げ部と、上記第一傾斜部から上記二段目曲げ部を介して上記基板部に向けて外方に広がるように上記パネルに対し上記第一傾斜部の上記傾斜角度より大きい所定の傾斜角度を持って傾斜して上記取付け孔より広幅に延出される第二傾斜部とを設けて二段曲げ形状とし、上記基部における上記支柱との角部内面に付けられる丸みより先の先端部の肉厚を上記第一傾斜部及び上記第二傾斜部のそれぞれの肉厚より薄くすると共に、上記基部における上記先端部の内面から上記第２傾斜片部の内面にわたる内面リブを設けたことを特徴とする樹脂クリップ。
【発明の詳細な説明】
【技術分野】
【０００１】
本発明は、例えば自動車などに装備されるパネルの取付け孔に嵌着して、パネルにホースやワイヤハーネス等を固定するのに用いられる樹脂クリップに関し、特にパネルの取付け孔に挿入する部分の出代を少なくすることができる樹脂クリップに関するものである。
【背景技術】
【０００２】
自動車の車体や内装などのパネルには、ホースやワイヤハーネス等の各種部品を固定するための取付け孔が設けられている。そして、この取付け孔にパネルの片側から樹脂クリップを嵌着させ、この樹脂クリップを介して、各種部品のパネルへの固定が行われている。
【０００３】
樹脂クリップは、例えば特許文献１に開示されている部品取付脚などに見られるように、パネルの片面に当接する基板部と、この基板部から延出されてパネルの取付け孔に挿入される脚部とを有し、脚部が、基板部から脚部挿入方向に延出される支柱と、この支柱の先端部から、一段曲げ形状で、基板部に向けて外方に広がるように傾斜して取付け孔より広幅に延出される一対の係止片とを有している。
【０００４】
樹脂クリップの脚部をパネルの片面側から取付け孔に差し込むと、係止片の一段曲げ部より先の傾斜部が取付け孔によって内方に押され、この傾斜部が一段曲げ部を曲げ支点として内方に押し撓められる。そして基板部がパネルの片面に当接したとき、傾斜部が外方に弾性復元し、係止片がパネルの裏面に係合することで、脚部が抜け止めされて、樹脂クリップが取付け孔に嵌着するようになっている。
【先行技術文献】
【特許文献】
【０００５】
【特許文献１】特許第２８１８１３８号公報
【発明の概要】
【発明が解決しようとする課題】
【０００６】
かかる樹脂クリップでは、パネルの取付け孔に挿入する脚部の出代が少ないものほど、嵌着に際し、パネルの裏面側に必要な隙間が少なくて済むため望ましい。
【０００７】
しかし、既存製品から係止片を従来の一段曲げ形状としたまま脚部の出代を少なくすると、それに伴って係止片の荷重点から曲げ支点（一段曲げ部）までの距離が短くなり、脚部の挿入抵抗が増加するため、脚部が挿入しにくくなったり、場合によっては挿入不能になるという問題があった。
【０００８】
本発明は、上記のような問題に鑑みてなされたもので、パネルの取付け孔に挿入する脚部の挿入抵抗が増加するのを抑えながら、該脚部の出代を少なくすることができる樹脂クリップを提供することを目的としている。
【課題を解決するための手段】
【０００９】
上記課題を解決するための手段としての請求項１に係る発明の構成は、取付け孔を有するパネルの上記取付け孔に嵌着される樹脂クリップであって、上記パネルの片面に係合する基板部と、上記基板部から延出されて上記取付け孔に挿入される脚部とを有し、上記脚部が、上記基板部から脚部挿入方向に延出される支柱と、上記支柱の先端部から、多段曲げ形状で、上記基板部に向けて外方に広がるように傾斜して上記取付け孔より広幅に延出される一対の係止片とを有していることを特徴とするものである。
【００１０】
請求項１に係る発明の構成を採用することにより、既存製品から係止片を従来の一段曲げ形状としたまま脚部の出代を少なくした樹脂クリップに比べて、係止片の荷重点と曲げ支点との間の距離を長くすることができ、脚部の挿入抵抗が増加するのを抑えながら、脚部の出代を少なくすることができる。
【００１１】
請求項２に係る発明の構成は、請求項１に係る発明の構成である樹脂クリップにおいて、上記係止片が、根元側にいくにつれて薄肉になっていくことを特徴とするものである。
【００１２】
請求項２に係る発明の構成を採用することにより、係止片の最初の曲げ部より根元側の基部を剛性の低い弱断面部とし、脚部挿入時、係止片が取付け孔によって内方に押されたとき、係止片は弱断面部より先の部分がその弱断面部を曲げ支点として内方に撓むので、既存製品から係止片を従来の一段曲げ形状としたまま脚部の出代を少なくした樹脂クリップに比べて、係止片の荷重点と曲げ支点との間の距離を長くすることができ、脚部の挿入抵抗が増加するのを抑えながら、脚部の出代を少なくすることができる。
【００１３】
請求項３に係る発明の構成は、請求項１又は２に係る発明の構成である樹脂クリップにおいて、上記係止片には、その多段曲げ形状における最初の曲げ部より根元側の基部内面から最終の曲げ部より先端側で上記パネルに対し最も大きい傾斜角度を持って傾斜して上記取付け孔より広幅に延出される傾斜部内面にわたる内面リブを設けたことを特徴とするものである。
【００１４】
請求項３に係る発明の構成を採用することにより、脚部挿入時、係止片が取付け孔によって内方に押されたとき、係止片の最初の曲げ部より根元側の基部に応力集中させることで、係止片は基部より先の部分がその基部を曲げ支点として内方に撓むので、既存製品から係止片を従来の一段曲げ形状としたまま脚部の出代を少なくした樹脂クリップに比べて、係止片の荷重点と曲げ支点との間の距離を長くすることができ、脚部の挿入抵抗が増加するのを抑えながら、脚部の出代を少なくすることができる。
また、係止片の最初の曲げ部より先の傾斜部の途中に応力集中を起こす形状変化部、つまり曲げ部を設けても、要するに係止片を多段曲げ形状としても、内面リブによって安定して係止片全体で脚部引抜き方向の荷重を受け持つことができ、係止片の引抜きに対する強度低下を回避することができる。
【００１５】
請求項４に係る発明の構成は、取付け孔を有するパネルの上記取付け孔に嵌着される樹脂クリップであって、上記パネルの片面に係合する基板部と、上記基板部から延出されて上記取付け孔に挿入される脚部とを有し、上記脚部が、上記基板部から脚部挿入方向に延出される支柱と、上記支柱の先端部から上記基板部に向けて外方に広がるように傾斜して上記取付け孔より広幅に延出される一対の係止片とを有している樹脂クリップにおいて、上記係止片は、上記支柱の先端部から延出される基部と、上記基部の先に連設される一段目曲げ部と、上記基部から上記一段目曲げ部を介して上記基板部に向けて外方に広がるように上記パネルに対し所定の傾斜角度を持って傾斜して上記取付け孔より狭幅に延出される第一傾斜部と、上記第一傾斜部の先に連設される二段目曲げ部と、上記第一傾斜部から上記二段目曲げ部を介して上記基板部に向けて外方に広がるように上記パネルに対し上記第一傾斜部の上記傾斜角度より大きい所定の傾斜角度を持って傾斜して上記取付け孔より広幅に延出される第二傾斜部とを設けて二段曲げ形状とし、上記基部における上記支柱との角部内面に付けられる丸みより先の先端部の肉厚を上記第一傾斜部及び上記第二傾斜部のそれぞれの肉厚より薄くすると共に、上記基部における上記先端部の内面から上記第２傾斜片部の内面にわたる内面リブを設けたことを特徴とするものである。
【００１６】
請求項４に係る発明の構成を採用することにより、係止片の基部における先端部を剛性の低い弱断面部とし、脚部挿入時、係止片の第二傾斜部が取付け孔によって内方に押されたとき、該弱断面部に応力集中させることで、係止片は弱断面部より先の部分がその弱断面部を曲げ支点として内方に撓むので、既存製品から係止片を従来の一段曲げ形状としたまま脚部の出代を少なくした樹脂クリップに比べて、係止片の荷重点と曲げ支点との間の距離を長くすることができ、脚部の挿入抵抗が増加するのを抑えながら、脚部の出代を少なくすることができる。
また、係止片の一段目曲げ部より先の傾斜部の途中に応力集中を起こす形状変化部、つまり二段目曲げ部を設けても、要するに係止片を二段曲げ形状としても、内面リブによって安定して係止片全体で脚部引抜き方向の荷重を受け持つことができ、係止片の引抜きに対する強度低下を回避することができる。
【発明の効果】
【００１７】
本発明によれば、パネルの取付け孔に挿入する脚部の挿入抵抗が増加するのを抑えながら、該脚部の出代を少なくすることができる、樹脂クリップを提供することができる。
【図面の簡単な説明】
【００１８】
【図１】本実施形態に係る樹脂クリップを備えたベルトクランプの正面図である。
【図２】上記ベルトクランプの右側面図である。
【図３】図１のＹ−Ｙ断面図である。
【図４】上記ベルトクランプの結束状態を示す断面図である。
【図５】図５（Ａ）は、上記樹脂クリップの片側断面正面図、図５（Ｂ）は、パネルの取付け孔部分の断面図である。
【図６】上記樹脂クリップの底面図である。
【図７】係止片の構造を説明する図である。
【図８】上記樹脂クリップの嵌着状態を示す断面図である。
【発明を実施するための形態】
【００１９】
以下、本発明を実施するための形態を図面に基づいて説明する。本実施形態に係る樹脂クリップは、車両用ワイヤハーネスのベルトクランプに実施したものである。
【００２０】
図１乃至図３に示すように、ベルトクランプ１は、ベルト１０、バックル２０、及び本実施形態に係る樹脂クリップ３０を、合成樹脂材によって一体に成形してなるものである。このベルトクランプ１は、図４に示すように、ベルト１０及びバックル２０によってワイヤハーネス２を結束し、図８に示すように、自動車の車体や内装などのパネル３の配線箇所に設けられた取付け孔４に樹脂クリップ３０を嵌着することで、この樹脂クリップ３０を介して、パネル３の配線箇所にワイヤハーネス２を留め付けることができる。
【００２１】
図１乃至図３に示すように、ベルト１０は、一定の幅で真直ぐに延びる帯状に形成されて可撓性を有し、その基端部１１はバックル２０に結合され、先端部１２は自由端になっている。ベルト１０の片面には、係合歯列１３がベルト１０の長さ方向に沿って一定のピッチで形成されている。また、ベルトクランプ１で結束したワイヤハーネス２がその長さ方向にずれ動くのを防止するためのリブ１４が係合歯列１３の両側に形成されている。
【００２２】
図１乃至図３に示すように、バックル２０は、その内部がベルト１０を通すための挿通路２１となった箱形状に形成され、その挿通路２１の一端はバックル２０の前側面に開口されてベルト挿入口２２になり、他端はバックル２０の後側面に開口されてベルト引出し口２３になっている。このバックル２０の上面後端部にベルト１０の基端部１１が結合され、ベルト１０の係合歯列１３及びリブ１４が形成された片面が前方に向けられている。一方、樹脂クリップ３０は、バックル２０の下側に形成されている。
【００２３】
また、バックル２０は、その天板部２４の前端部から折返し部２５を介して天板部２４の内側（挿通路２１の上部）に延出される可撓性を有する片持ち梁状の係合片２６を有している。この係合片２６の先端部には、ベルト１０の係合歯列１３に係合する２つの係合爪２７が下方に向けて突出形成されている。そして、バックル２０の挿通路２１は、係合片２６の下面とバックル２０の内底面との間において、ベルト挿入口２２からベルト引出し口２３に向けてベルト１０を通すことができる。係合爪２７は、係合片２６の上方への撓み、下方への弾性復元を利用して、ベルト１０を引き締めるときの係合歯列１３の通過は許容し、その逆方向の係合歯列１３の通過は阻止する。
【００２４】
ベルトクランプ１によるワイヤハーネス２の結束作業は、ベルト１０の係合歯列１３及びリブ１４が形成された前面と、バックル２０の上面とを、ワイヤハーネス２の結束箇所の外周面に対向させ、ベルト１０をワイヤハーネス２の外周に巻き付けると共に、該ベルト１０をその先端部１２からバックル２０の挿通路２１に通して引き締める。この引き締めに伴ってベルト１０の係合歯列１３がバックル２０における係合片２６の係合爪２７を乗り越えて通過しており、所定の引き締め状態において相互が係合し、ベルト１０が抜け止めされて、ベルト１０とバックル２０とがロックされる。これによって、図４に示すように、ワイヤハーネス２がベルト１０及びバックル２０によって結束される。
【００２５】
図５（Ａ），図６，図８に示すように、パネル３の取付け孔４に嵌着される樹脂クリップ３０は、パネル３の片面に係合する基板部４０と、基板部４０から延出されて取付け孔４に挿入される脚部５０とを有し、脚部５０が、基板部４０から脚部挿入方向に向けて延出される支柱６０と、支柱６０の先端部から基板部４０に向けて外方に広がるように傾斜して取付け孔４より広幅に延出される一対の係止片７０とを有して構成されている。
【００２６】
図５（Ａ）に示すように、この樹脂クリップ３０は、その脚部５０の出代ｈ１を図５（Ａ）の仮想線で示す既存製品３０Ａの脚部の出代ｈ２より少なくしたものであって、その際に、係止片７０を従来の一段曲げ形状から後述する二段以上の多段曲げ形状としたものであり、係止片７０は、支柱６０の先端部から、二段以上の多段曲げ形状で、基板部４０に向けて外方に広がるように傾斜して取付け孔４より広幅に延出されている。図７に、図５の左側の係止片７０を拡大してハッチングを省略した状態で示し、図５（Ａ），図６，図８、及び図７を参照しながら係止片７０の構造を説明する。なお、図５の左右一対の係止片７０は支柱６０の軸芯線６１を対称軸として軸対称構造を有している。
【００２７】
図５（Ａ），図６乃至図８に示すように、係止片７０は、支柱６０の先端部から、二段曲げ形状（多段曲げ形状）で、基板部４０に向けて外方に広がるように傾斜して取付け孔４より広幅に延出されている。つまり係止片７０は、支柱６０の先端部から延出される基部７１と、基部７１の先に連設される一段目曲げ部（最初の曲げ部）７２と、基部７１から一段目曲げ部７２を介して基板部４０に向けて外方に広がるようにパネル３に対し所定の傾斜角度θ１（図では約３３度）を持って傾斜して取付け孔４より狭幅に延出される第一傾斜部（最初の傾斜部）７３と、第一傾斜部７３の先に連設される二段目曲げ部（最終の曲げ部）７４と、第一傾斜部７３から二段目曲げ部７４を介して基板部４０に向けて外方に広がるようにパネル３に対し第一傾斜部７３の傾斜角度θ１より大きい所定の傾斜角度θ２（図では約５６度）を持って傾斜して取付け孔４より広幅に延出される第二傾斜部（最終の傾斜部）７５とを設けて二段曲げ形状（多段曲げ形状）としてある。
【００２８】
なお、係止片７０の曲げ段数を二段から一段ずつ増やす場合、上記一段目曲げ部（最初の曲げ部）７２と二段目曲げ部（最終の曲げ部）７４との間に設けられる上記第一傾斜部（最初の傾斜部）７３に曲げ部を一つずつ追加していく。例えば三段曲げ形状の場合、上記第一傾斜部７３に中間の曲げ部が一つ追加され、その中間の曲げ部が二段目曲げ部になり、その二段目曲げ部の先に連設される傾斜部が第二傾斜部になる。そして上記二段目曲げ部７４と第二傾斜部７５はそれぞれ三段目曲げ部と第三傾斜部になる。また４段曲げ形状の場合、上記第一傾斜部７３に中間の曲げ部が二つ追加され、そのうち係止片７０の根元側の曲げ部が二段目曲げ部になり、その二段目曲げ部の先に連設された傾斜部が第二傾斜部になり、また係止片７０の先端側の曲げ部が三段目曲げ部になり、その三段目曲げ部の先に連設された傾斜部が第三傾斜部になる。そして上記二段目曲げ部７４と第二傾斜部７５はそれぞれ四段目曲げ部と第四傾斜部になる。
【００２９】
また、係止片７０はその二段曲げ形状（多段曲げ形状）において、一段目曲げ部（最初の曲げ部）７２より根元側の基部７１における支柱６０との角部内面に付けられる丸み７１ａより先の先端部７１ｂの肉厚Ｔ１を、一段目曲げ部（最初の曲げ部）７２より先の第一傾斜部７３及び第二傾斜部７５それぞれの肉厚Ｔ２及びＴ３（最初の傾斜部から最終の傾斜部までのそれぞれの傾斜部の肉厚）より薄くしてある。より具体的には、第二傾斜部７５の肉厚Ｔ３より第一傾斜部７３の肉厚Ｔ２が薄く（最終の傾斜部から最初の傾斜部にいくにつれてそれぞれの傾斜部の肉厚が薄くなり）、その第一傾斜部（最初の傾斜部）７３の肉厚Ｔ２より基部７１における先端部７１ｂの肉厚Ｔ１が薄くなっている。つまり係止片７０は、その根元側にいくにつれて薄肉になっている。
【００３０】
さらに、係止片７０はその二段曲げ形状（多段曲げ形状）において、一段目曲げ部（最初の曲げ部）７２より根元側の基部７１における先端部７１ｂの内面から第２傾斜片部（最終の傾斜部）７５の内面にわたる内面リブ７６を設けている。
【００３１】
また、係止片７０の二段曲げ形状（多段曲げ形状）において、一段目曲げ部（最初の曲げ部）７２より根元側の基部７１と第二傾斜部（最終の傾斜部）７５とをそれぞれ真直ぐに延長して直接連設させたときにできる一段曲げ形状での一段曲げ部の外面角部を、図７の斜線で示すように、斜めに落とし、該一段曲げ形状での一段曲げ部の肉厚を薄くするように、一段目曲げ部（最初の曲げ部）７２より根元側の基部７１と第二傾斜部（最終の傾斜部）７５とを一段目曲げ部（最初の曲げ部）７２、第一傾斜部（最初の傾斜部）７３、及び二段目曲げ部（最終の曲げ部）７４を介して連設している。
【００３２】
上記構成を有する樹脂クリップ３０では、係止片７０は支柱６０の先端部から、二段以上の多段曲げ形状で、基板部４０に向けて外方に広がるように傾斜して取付け孔４より広幅に延出されており、脚部挿入時、取付け孔４によって内方に押される係止片７０の第二傾斜部（最終の傾斜部）７５のパネル３に対する傾斜角度θ２を、既存製品３０Ａから係止片を従来の一段曲げ形状としたまま脚部の出代を少なくした図５（Ａ）の仮想線で示す樹脂クリップ３０Ｂの一段曲げ形状の係止片における一段曲げ部より先の傾斜部のパネル３に対する傾斜角度θ２に比べて小さくすることなく、樹脂クリップ３０Ｂに比べて、係止片７０の一段目曲げ部（最初の曲げ部）７２より根元側の基部７１の長さを短くすることができ、つまり樹脂クリップ３０Ｂに比べて、係止片７０の一段目曲げ部（最初の曲げ部）７２を係止片７０の根元に近い位置に設定することができるので、樹脂クリップ３０Ｂに比べて、係止片７0の荷重点Ｐから曲げ支点（この場合一段目曲げ部（最初の曲げ部）７２）までの距離を長くすることができ、脚部５０の挿入抵抗が増加するのを抑えながら、或いは、脚部５０の挿入抵抗を増加させることなく、脚部５０の出代を少なくｈ１（ｈ２＞ｈ１）にすることができる。
なお、係止片７０の一段目曲げ部７２より先の傾斜部（第一傾斜部７３及び第二傾斜部７５）（最初の傾斜部から最終の傾斜部までのそれぞれの傾斜部）のパネル３に対する傾斜角度（傾斜角度θ１及び傾斜角度θ２）は、樹脂クリップ３０Ｂの係止部の一段曲げ部から先の傾斜部のパネル３に対する傾斜角度θ２と同様に、既存製品３０Ａの係止片の一段曲げ部から先の傾斜部のパネル３に対する傾斜角度θ３より小さい（θ３＞θ２＞θ１）。
【００３３】
また、係止片７０の二段以上の多段曲げ形状において、係止片７０は根元側にいくにつれて薄肉になっており、係止片７０の一段目曲げ部（最初の曲げ部）７２より根元側の基部７１を剛性の低い弱断面部７７とし、脚部挿入時、係止片７０の第二傾斜部（最終の傾斜部）７５が取付け孔４によって内方に押されたとき、係止片７０は弱断面部７０より先の部分７２，７３，７４，７５が該弱断面部７７を曲げ支点として内方に撓むので、樹脂クリップ３０Ｂに比べて、係止片７0の荷重点Ｐと曲げ支点（弱断面部７７）との間の距離を長くすることができ、脚部５０の挿入抵抗が増加するのを抑えながら、或いは、脚部５０の挿入抵抗を増加させることなく、脚部５０の出代を少なくｈ１（ｈ２＞ｈ１）にすることができる。
【００３４】
さらに、係止片７０の二段以上の多段曲げ形状において、係止片７０は一段目曲げ部（最初の曲げ部）７２より根元側の基部７１における先端部７１ｂの内面から第２傾斜片部（最終の傾斜部）７５の内面にわたる内面リブ７６を設けており、係止片７０の基部７１における先端部７１ｂを剛性の低い弱断面部７７とし、脚部挿入時、係止片７０の第二傾斜部（最終の傾斜部）７５が取付け孔４によって内方に押されたとき、該弱断面部７７に応力集中させることで、係止片７０は弱断面部７０より先の部分７２，７３，７４，７５が該弱断面部７７を曲げ支点として内方に撓むので、樹脂クリップ３０Ｂに比べて、係止片７0の荷重点Ｐと曲げ支点（弱断面部７７）との間の距離を長くすることができ、脚部５０の挿入抵抗が増加するのを抑えながら、或いは、脚部５０の挿入抵抗を増加させることなく、脚部５０の出代を少なくｈ１（ｈ２＞ｈ１）にすることができる。
また、係止片７０の一段目曲げ部７２より先の傾斜部（第一傾斜部７３及び第二傾斜部７５）（最初の傾斜部から最終の傾斜部までの傾斜部）の途中に応力集中を起こす形状変化部、つまり一つ以上の曲げ部（中間の曲げ部や最終の曲げ部）を設けても、要するに係止片７０を二段以上の多段曲げ形状としても、内面リブ７６によって安定して係止片７０全体で脚部引抜き方向の荷重を受け持つことができ、係止片７０の引抜きに対する強度低下を回避することができる。
【００３５】
また、上記構成を有する樹脂クリップ３０では、係止片７０は支柱６０の先端部から、二段曲げ形状で、基板部４０に向けて外方に広がるように傾斜して取付け孔４より広幅に延出されており、係止片７０の一段目曲げ部７２より根元側の基部７１における支柱６０との角部内面に付けられる丸み７１ａより先の先端部の肉厚Ｔ１を第一傾斜部７２及び第二傾斜部７５のそれぞれの肉厚Ｔ２及びＴ３より薄くすると共に、基部７１における先端部７１ａの内面から第２傾斜片部７５の内面にわたる内面リブ７６を設けており、係止片７０の基部７１における先端部７１ａを剛性の低い弱断面部７７とし、脚部挿入時、係止片７０の第二傾斜部７５が取付け孔４によって内方に押されたとき、該弱断面部７７に応力集中させることで、係止片７０は弱断面部７７より先の部分７２，７３，７４，７５がその弱断面部７７を曲げ支点として内方に撓むので、樹脂クリップ３０Ｂに比べて、係止片７０の荷重点Ｐと曲げ支点（弱断面部７７）との間の距離を長くすることができ、脚部５０の挿入抵抗が増加するのを抑えながら、或いは、脚部５０の挿入抵抗を増加させることなく、脚部５０の出代を少なくｈ１（ｈ２＞ｈ１）にすることができる。
また、係止片７０の一段目曲げ部７２より先の傾斜部（第一傾斜部７３及び第二傾斜部７５）の途中に応力集中を起こす形状変化部、つまり二段目曲げ部７４を設けても、要するに係止片７０を二段曲げ形状としても、内面リブ７６によって安定して係止片７０全体で脚部引抜き方向の荷重を受け持つことができ、係止片７０の引抜きに対する強度低下を回避することができる。
さらに、係止片７０の二段曲げ形状は、二段以上の多段曲げ形状の中で最もシンプルな形状（構造）であり、樹脂クリップ３０を容易に製造し、安価に提供することができる。
なお、係止片７０の一段目曲げ部７２より先の傾斜部（第一傾斜部７３及び第二傾斜部７５）のパネル３に対する傾斜角度（傾斜角度θ１及び傾斜角度θ２）は、樹脂クリップ３０Ｂの一段曲げ部から先の傾斜部のパネル３に対する傾斜角度（図ではθ２）と同様に、既存製品３０Ａの一段曲げ部から先の傾斜部のパネル３に対する傾斜角度θ３より小さい（θ３＞θ２＞θ１）。
【００３６】
本実施形態では、一段目曲げ部（最初の曲げ部）７２より根元側の基部７１は、支柱６０の先端部から脚部挿入方向と直交する方向に延出しているが、パネル３に対し所定の傾斜角度（第一傾斜部（最初の傾斜部）７３のパネル３に対する傾斜角度θ1より小さい傾斜角度）を持って傾斜して延出してもよい。また、基部７１における先端部７１ｂ、第一傾斜部（最初の傾斜部）７３、第二傾斜部（最終の傾斜部）７５（但し、後述する係合段部より先の先端部は除く）は、それぞれ、一定の肉厚で真直ぐに延びており、第二傾斜部７５の肉厚Ｔ３より第一傾斜部７３の肉厚Ｔ２が薄く（最終の傾斜部から最初の傾斜部にいくにつれてそれぞれの傾斜部の肉厚が薄くなり）、その第一傾斜部（最初の傾斜部）７３の肉厚Ｔ２より基部７１における先端部７１ｂの肉厚Ｔ１が薄くなっている。このように第二傾斜部（最終の傾斜部）７５から基部７１における先端部７１ｂにかけて段階的に肉厚を薄くする他、連続的に薄くしてもよい。
【００３７】
また、内面リブ７６は、係止片７０の幅方向中央部に形成され、その表面７６ａは平らな四角形に形成され、断面形状は基部７１における先端部７１ｂの内面から第２傾斜片部（最終の傾斜部）７５の内面にわたる中凹状で二段（多段）に曲げられた内面と、内面リブ７６の表面７６ａとの隙間を埋めるように高さの低い略三角形状に形成されている。そして、係止片７０の内面は、内面リブ７６を設けた幅方向中央部において基部７１における先端部７１ｂの内面上に角部７８を有して一段曲げ形状に形成され、内面リブ７６のない幅方向両端部において二段曲げ形状（多段曲げ形状）に形成されている。係止片７０は、具体的には、弱断面部７７より先の部分７２，７３，７４，７５が該弱断面部７７の内面角部７８を曲げ支点として内方に撓む。
【００３８】
図５（Ａ），図６，図８に示すように、本実施形態では、基板部４０は、樹脂クリップ３０の上部に形成されてパネル３の上面に係合する。脚部５０は、基板部４０から下方に向けて延出されてパネル３の上面側から取付け孔４に挿入される。取付け孔４は、パネル３の上下面に貫通する楕円形の貫通穴からなる。この取付け孔４に樹脂クリップ３０を嵌着することで、樹脂クリップ３０は、ベルト１０とバックル２０によって結束されたワイヤハーネス２をその長さ方向を取付け孔４の長径方向に一致させた状態でパネル３に留め付ける。
【００３９】
また、基板部４０は、バックル２０における四角形の底板がその面方向に沿って取付け孔４に対応する楕円形に広げられた板体からなる基板４１と、基板４１の外周縁部からさらに外方に向けて下方に傾斜して延出された皿ばね状で可撓性を有する楕円形のフランジ４２とを有し、このフランジ４２の先端部がパネル３の上面における取付け孔４の開口周辺部に当接して係合する。
【００４０】
支柱６０は、基板部４０から脚部挿入方向となる下方に向けて延出されている。支柱６０は、基板部４０の中心を通過して基板４１の面直方向（上下方向）に延びる軸芯線６１を有している。この支柱６０の軸芯線６１は脚部５０の軸芯線、ひいては樹脂クリップ３０全体の軸芯線になっている。
【００４１】
また、支柱６０は、その前後側面が取付け孔４の長径方向に延びる直線部分の中間部に沿うように形成されている。この支柱６０を軸芯線６１と直交する一平面（水平面）で切断したときの横断面形状は、取付け孔４の短径方向を長手方向とする長方形に形成され、支柱６０の前後幅が取付け孔４の短径と略同等に形成されている。さらに、支柱６０は、その基部において、後述するリブ６２によって外方に広げられた支柱６０の前側面が取付け孔４の長径方向に延びる直線部分の全長に沿うように形成されている。この支柱６０の基部における横断面形状は、基板４１の下面と支柱６０の左右側面との角部に形成された板状の左右一対のリブ６２によってＴ字形に形成され、リブ６２の前面が支柱６０の前側面と同一平面内に配置されている。支柱６０の先端面は、支柱６０の軸芯線６１と直交する一平面（水平面）内に配置されている。
【００４２】
係止片７０は、支柱６０の左右側面の先端部から上方の基板部４０に向けて取付け孔４の長径方向外方に広がるように傾斜して取付け孔４の長径より広幅に延出されている。また、係止片７０は、支柱６０の軸芯線６１を対称軸として左右軸対称形状に形成されている。この係止片７０と支柱６０とによって脚部５０が正面視において↓（下向きの矢印）状に形成されている。さらに、係止片７０は、その基部７１の基端部が支柱６０の左右側面の先端部に結合され、第２傾斜部７５の先端が自由端となり、片持ち梁状に形成されて可撓性を有している。この係止片７０の前後幅は支柱６０の前後幅より狭幅に形成され、底面視において、係止片７０の前後側端面が支柱６０の前後側面より内側に位置し、リブ６２は係止片７０の前側端面より外側に形成されている。この係止片７０は、弱断面部７７より先の部分７２，７３，７４，７５が該弱断面部７７の内面角部７８を曲げ支点としてリブ６２に干渉することなく内方に撓むことができる。
【００４３】
また、係止片７０には、その第２傾斜部（最終の傾斜部）７５の先端部外面に取付け孔４と係合する係合段部７９が一段単一で形成されている。この係合段部７９は、取付け孔４の短径方向に延びる円弧部分と係合するもので、係止片７０の基部７１より先の部分７２，７３，７４，７５の外面は、取付け孔４の短径方向に延びる円弧部分に沿うように幅方向に湾曲した中凸状の曲面に形成されている。係止片７０の基部７１の外面は、支柱６０の先端面から下方に張り出す頂部がＤカットされて支柱６０の先端面と同一平面内に配置される、幅方向に湾曲した中凸状の曲面に形成されている。
【００４４】
係合段部７９は、第２傾斜部７５の先端部の肉厚を外面から減じることで形成されており、パネル３の裏面（下面）に面するパネル抜止め面７９ａと、取付け孔４の壁面に面する孔壁係止面７９ｂとを有している。なお、孔壁係止面７９ｂについても取付け孔４の短径方向に延びる円弧部分に沿うように幅方向に湾曲した中凸状の曲面に形成されている。
【００４５】
ベルトクランプ１によるワイヤハーネス２のパネル３への留め付け作業は、樹脂クリップ３０の脚部５０をパネル３の上面側から取付け孔４に差し込む。これにより、脚部５０が取付け孔４に挿入されるのに伴って、係止片７０の第二傾斜部（最終の傾斜部）７５が取付け孔４によって内方に押され、係止片７０の弱断面部７７より先の部分７２，７３，７４，７５が該弱断面部７７の内面角部７８を曲げ支点として内方に撓められる。そして、基板部４０のフランジ４２の先端部がパネル３の上面における取付け孔４の開口周辺部に当接したとき、係止片７０の係合段部７９におけるパネル抜止め面７９ａが取付け孔４を通過し、その係合段部７９が取付け孔４に挿入されることで、係止片７０の弱断面部７７より先の部分７２，７３，７４，７５が該弱断面部７７の内面角部７８を曲げ支点として外方に弾性復元し、係合段部７９における孔壁係止面７９ｂが係止片７０の弾性力によって取付け孔４の壁面に弾性的に圧接される。
【００４６】
また、脚部５０をさらに取付け孔４に挿入する。すると、基板部４０のフランジ４２が広がりながらその先端部がパネル３の上面における取付け孔４の開口周辺部に弾性的に圧接される。そして、樹脂クリップ３０の脚部５０をさらに取付け孔４に挿入し、基板部４０のフランジ４２がそれ以上広がることができないところまでパネル３の上面に押し付けて、手を離すと、フランジ４２の弾性力によって脚部５０が取付け孔４から抜ける方向に戻り始める。この脚部５０の抜け動作に伴って、係合段部７９におけるパネル抜止め面７９ａがパネル３の裏面における取付け孔４の開口縁部に押し付けられて係合し、その係合段部７９が取付け孔４に係合することで、脚部５０が抜け止めされて、パネル３が基板部４０と係合片７０との間で挟持され、樹脂クリップ３０がパネル３の嵌着される。
【００４７】
これによって、ベルト１０及びバックル２０によって結束されたワイヤハーネス２が、樹脂クリップ３０を介して、パネル３の配線箇所に留め付けられる。このとき、基板部４０のフランジ４２は、パネル３の面直方向の樹脂クリップ３０のガタ付きを防止すると共に、ベルトクランプ１の取付け姿勢を安定させる機能を果たすと共に、取付け孔４の周囲のシール機能を果たす。係合片７０の係合段部７９は、樹脂クリップ３０の軸芯線６１を取付け孔４の中心に一致させる芯合わせ（長径方向及び短径方向の両方向の位置決め）機能を果たし、ベルトクランプ１の取付け姿勢をさらに安定させる。支柱６０の基部における横断面形状をＴ字形にする、基板４１の下面と支柱６０の左右側面との角部に形成されたリブ６２は、樹脂クリップ３０がその軸芯線６１を中心に回転するのを規制する回り止めとなり、ベルト１０とバックル２０によって結束されたワイヤハーネス２をその長さ方向を取付け孔４の長径方向に一致させ、保持する機能を果たす。また、基板部４０のフランジ４２は、パネル３の厚さが変化しても、そのパネル３の厚さに対応して係合段部７９におけるパネル抜止め面７９ａをパネル３の裏面における取付け孔４の開口縁部に押し付けて係合させるので、同じ樹脂クリップ３０で厚さの異なる数種のパネル３に対応可能とする機能を果たす。なお、係合片７０の係合段部７９は、階段状に多段複数を形成してもよく、パネル３の厚さが変化しても、そのパネル３の厚さに対応したいずれかの係合段部７９のパネル抜止め面７９ａがパネル３の裏面における取付け孔４の開口縁部に押し付けて係合するため、同じ樹脂クリップ３０で厚さの異なる数種のパネル３に対応可能とする機能を果たす。
【００４８】
そして、上記のとおり、樹脂クリップ３０は、脚部５０の挿入抵抗が増加するのを抑えながら、或いは、脚部５０の挿入抵抗を増加させることなく、脚部５０の出代を少なくｈ１（ｈ２＜ｈ１）にしたので、嵌着に際し、パネル３の裏面側に必要な隙間が少なくて済み、省スペース化などによって裏面側に他の構造が接近して配置されているパネル３に対してワイヤハーネス２を留め付けることができる。
【００４９】
以上、本発明に係る樹脂クリップの一実施形態を説明したが、本発明はそれに限定されるものではなく、特許請求の範囲に記載された発明の範囲内で適宜変更することができるものである。
【００５０】
例えば、本実施形態に係る樹脂クリップ３０は、車両用ワイヤハーネスのベルトクランプに実施したが、この種のベルトクランプには、一体型とセパレート型があり、その一体型の一例がベルトクランプ１である。つまりベルト１０とバックル２０からなるクランプ本体を樹脂クリップ３０の基板部４０上に一体成形する。一方、セパレート型は、クランプ本体を樹脂クリップ３０とは別に一体成形し、樹脂クリップ３０の基板部４０上には、係合片２６を有しておらず、内部が単にベルト１０を通すためだけの挿通路２１となった箱形状を一体成形する。このセパレート型では、クランプ本体のベルト１０を樹脂クリップ３０側の箱形状に通した状態で、ワイヤハーネス２を結束することで、一体型と同様に、クランプ本体によって結束されたワイヤハーネス２が、樹脂クリップ３０を介して、パネル３に留め付けられる。このように、樹脂クリップ３０は、一体型とセパレート型、いずれのベルトクランプにも実施することができる。また、クランプ以外に、様々なパネル取付け対象部品の保持具に対して実施することができる。このとき、基板部４０のフランジ４２や係止片７０の係合段部７９などは任意に省略することができる。つまり樹脂クリップ３０は、厚さが同じパネル３にだけ対応する場合、基板部４０をパネル３の取付け孔４より大きな基板４１によって形成しておくことで、パネル３を基板４１の下面と係止片７０の第二傾斜部７５の先端面との間に挟持して、パネル３に嵌着することができる。
【符号の説明】
【００５１】
３  パネル
４  取付け孔
３０  樹脂クリップ
４０  基板部
５０  脚部
６０  支柱
７０  係止片
７１  基部
７１ａ  丸み
７１ｂ  先端部
７２  一段目曲げ部（最初の曲げ部）
７３  第一傾斜部（最初の傾斜部）
７４  二段目曲げ部（最終の曲げ部）
７５  第二傾斜部（最終の傾斜部）
７６  内面リブ
θ１，θ２  傾斜角度
Ｔ１，Ｔ２，Ｔ３  肉厚
【図１】
2015052338.tif 000003
【図２】
2015052338.tif 000004
【図３】
2015052338.tif 000005
【図４】
2015052338.tif 000006
【図５】
2015052338.tif 000007
【図６】
2015052338.tif 000008
【図７】
2015052338.tif 000009
【図８】
2015052338.tif 000010